(57)【要約】【課題】乾燥工程を実施するための空気調和機を構成する圧縮機、凝縮器、蒸発器と、送風手段とを、振動の問題なしに嵩低く簡単に設置でき熱効率の高いものとする。【解決手段】洗濯物を収容して回転駆動される回転ドラム２が水槽３内に設けられ、洗濯、すすぎ、脱水の各工程を実施すると共に、送風手段により水槽３内の空気を、圧縮機３７、蒸発器３１、凝縮器３２を収容した空気調和機３９を備えた循環送風経路５を通して循環させ洗濯物の乾燥工程を実施するドラム式洗濯乾燥機にて、空気調和機３９の導入空気を除湿及び加熱した後に排気する排気口４１側に送風手段１５の吸気口４２側を相互間の防振構造部４３を有して結合し一体化することにより、上記の目的を達成する。【選択図】図２
2008079859.tif 000002
【特許請求の範囲】
【請求項１】
多数の透孔が形成され洗濯物を収容して回転駆動される回転ドラムが水槽内に設けられ、この水槽内の給水、排水及び前記回転ドラムの回転の制御により洗濯、すすぎ、脱水の各工程を実施すると共に、送風手段により水槽内の空気を、圧縮機、蒸発器、凝縮器を収容した空気調和機を備えた循環送風経路を通して循環させることにより洗濯物の乾燥工程を実施するドラム式洗濯乾燥機において、
前記空気調和機の導入空気を除湿及び加熱した後に排気する排気口側に送風手段の吸気口側を相互間の防振構造部を有して結合し一体化したことを特徴とするドラム式洗濯乾燥機。
【請求項２】
空気調和機と送風手段とは、空気調和機の排気口と送風手段の吸気口との間にシール構造部を有し、このシール構造部の外まわりの複数箇所間を相互間の防振構造部を有して分離可能に締結し結合した請求項１に記載のドラム式洗濯乾燥機。
【請求項３】
締結は、空気調和機と送風手段との互いに対向し合う締結座の一方に前記対向し合う方向に設けた凸軸と他方に設けた締結穴との嵌め合せ構造と、締結穴を有した締結座の反締結側に当てがう座金と前記凸軸との間で座金側からねじ締めして両締結座の対向部間を締結する締結構造とを有してなされ、防振構造部は、前記凸軸と締結穴との嵌まり合い部間と、前記両締結座の対向部間と、前記締結穴を有した締結座及び座金間と、に防振部材が介在している請求項２に記載のドラム式洗濯乾燥機。
【請求項４】
防振部材は、前記締結穴と凸軸との嵌まり合い部間に位置する筒部と、この筒部の両端部から外方に張り出し前記両締結座の対向部間と、前記締結穴を有した締結座及び座金間とに位置する２つのフランジ部と、を一体に有している請求項３に記載のドラム式洗濯乾燥機。
【請求項５】
２つのフランジ部は、その一方が全周に、他方は周方向複数箇所で放射状に張り出している請求項４に記載のドラム式洗濯乾燥機。
【請求項６】
空気調和機は、前記圧縮機を器体の底部壁に相互間の防振構造部を有して分離できるように固定している請求項１〜５のいずれか１項に記載のドラム式洗濯乾燥機。
【請求項７】
空気調和機及び送風手段は、相互の一体化によって空調・送風ユニットをなし、軸線が後部から前部へ高くなるように傾斜した水槽の背部下に設置されている請求項１〜６のいずれか１項に記載のドラム式洗濯乾燥機。
【請求項８】
送風手段の背部側の上向きの排気口から上方に延びる送風管路を水槽背面に突出している回転ドラムのモータまわりを経由してモータの上側で水槽背面に接続されている請求項７に記載のドラム式洗濯乾燥機。
【請求項９】
空気調和機は送風手段と反対側の端部の背部側に上向きの循環空気導入口を有し、この循環空気導入口から上方へ延びる循環空気導入管路を、洗濯乾燥機本体の上面から着脱されるフィルタを受け入れて糸くずなどの異物を回収するフィルタ室の背部の下向きの循環空気排出口に接続している請求項８に記載のドラム式洗濯乾燥機。
【発明の詳細な説明】
【技術分野】
【０００１】
本発明は、水槽内に水平方向もしくは水平方向から傾斜した方向に回転自在に支持された回転ドラム内で洗濯、すすぎ、脱水、乾燥の各工程を行うドラム式洗濯乾燥機に関するものである。
【背景技術】
【０００２】
このようなドラム式洗濯乾燥機は、図１に示す本発明の実施の形態のドラム式洗濯乾燥機１を参照して説明すると、多数の透孔８が形成され洗濯物を収容して回転駆動される回転ドラム２が水槽３内に設けられ、一般に、この水槽３内の給水、排水及び前記回転ドラム２の回転の制御により洗濯、すすぎ、脱水の各工程を実施すると共に、送風手段である送風ファン１５により水槽３内の空気を、蒸発器、凝縮器を備えた循環送風経路５を通して循環させることにより洗濯物の乾燥工程を実施するようになっている（例えば、特許文献１参照）。
【０００３】
ここで、蒸発器、凝縮器は一例として圧縮機と冷媒回路で接続した空気調和機、例えば特許文献１がいうような蒸発器と凝縮器とを可逆に運転できるヒートポンプ機構をなすもので、送風手段により水槽内の空気を循環送風経路に導入して蒸発器及び凝縮器を順次に通すことで除湿後に加熱した渇いた高温空気とし、これを水槽内に送風して回転ドラム内の洗濯物に曝すことを繰り返し効率よく乾燥させられるようにしている。
【特許文献１】特開２００６−１８７４４９号公報
【発明の開示】
【発明が解決しようとする課題】
【０００４】
しかし、特許文献１に記載のものは、循環送風路の一部に設けた熱交換ダクトを水槽の奥行き寸法にほぼ同等な長さ範囲に設けて蒸発器と凝縮器とを前後に距離を置いて収容し、熱交換ダクト外に設置した圧縮機、熱交換ダクト内に配置した蒸発器及び凝縮器、の相互を冷媒回路で接続してヒートポンプ機構をなし、熱交換ダクトの排気側に送風ファンを接続している。このため、ヒートポンプ機構及びその組み立てが共に複雑になる上、送風ファンは熱交換ダクトに直結されてヒートポンプ機構と一体化してはいるが、冷媒回路及び循環送風経路が共に長く、嵩だかで大きな占有スペースを要する上、ヒートポンプ機能上、洗濯物の乾燥上、熱効率を高め難い。しかも、送風ファンは直結された熱交換ダクトに振動を及ぼし他に伝播されたり共鳴させたりしやすい構成であり、静音性に欠ける。また、洗濯乾燥機本体底部に直に設置された圧縮機に対し、洗濯乾燥機本体底部の上に配置された熱交換ダクト内の蒸発器よりもさらに上に位置して蒸発器で生じる結露水が及ばないようにした凝縮器の設置側で熱交換ダクトに直結されて洗濯乾燥機本体底部から高い位置にあり、送風ファンの振動を抑えにくいし、またその振動が熱交換ダクトなど他に及びやすく共振したり共鳴したりする問題がある。
【０００５】
本発明の目的は、乾燥工程を実施するために空気調和機を採用して循環空気の除湿、加熱を行い、その空気を循環させる送風手段と併せ振動の問題なしに嵩低く簡単に設置できるドラム式洗濯乾燥機を提供することにある。
【課題を解決するための手段】
【０００６】
上記目的を達成するための本願第１発明は、多数の透孔が形成され洗濯物を収容して回転駆動される回転ドラムが水槽内に設けられ、この水槽内の給水、排水及び前記回転ドラムの回転の制御により洗濯、すすぎ、脱水の各工程を実施すると共に、送風手段により水槽内の空気を、圧縮機、蒸発器、凝縮器を収容した空気調和機を備えた循環送風経路を通して循環させることにより洗濯物の乾燥工程を実施するドラム式洗濯乾燥機において、前記空気調和機の導入空気を除湿及び加熱した後に排気する排気口側に送風手段の吸気口側を相互間の防振構造部を有して結合し一体化したことを特徴とする。
【０００７】
このような構成によれば、圧縮機、蒸発器、凝縮器を収容して大量生産向きの機器となった空気調和機と、送風手段と、の２つの単独機器の結合で４つの機器を関係付けられ、全体が嵩ばらず冷媒回路長さ、循環空気の通路長さが共に短くなる。また、洗濯乾燥機本体に空気調和機を設置すれば、それに一体化した送風手段自体の洗濯乾燥機本体への設置、支持を不要として安定に設置できる上、空気調和機と送風手段との一体化は圧縮機と送風手段との２つの振動源を一纏めに持つことになるが、送風手段と空気調和機とは相互間の防振構造によって双方の振動が影響し合うのを防止されるし、送風手段の振動も吸振される。
【０００８】
空気調和機と送風手段とが、空気調和機の排気口と送風手段の吸気口との間にシール構造部を有し、このシール構造部の外まわりの複数箇所間を相互間の防振構造部を有して分離可能に締結し結合した、さらなる構成によれば、
空気調和機と送風手段とは、それらの排気口と吸気口との間にシール構造を有するだけで、その外まわりの複数箇所間を防振構造を締結によりシール性を満足して接続され、その締結を利用して防振構造を付帯し相互間の防振作用と送風手段に対する吸振作用とを発揮させられる。また、締結を解くだけで空気調和機及び送風手段をシール構造部及び防振構造の分解を伴い分離できる。
【０００９】
締結が、空気調和機と送風手段との互いに対向し合う締結座の一方に前記対向し合う方向に設けた凸軸と他方に設けた締結穴との嵌め合せ構造と、締結穴を有した締結座の反締結側に当てがう座金と前記凸軸との間で座金側からねじ締めして両締結座の対向部間を締結する締結構造とを有してなされ、防振構造部は、前記凸軸と締結穴との嵌まり合い部間と、前記両締結座の対向部間と、前記締結穴を有した締結座及び座金間と、に防振部材が介在している、さらなる構成によれば、
空気調和機と送風手段との締結し合う締結座同士の、凸軸と締結穴との嵌め合わせ構造とその嵌め合い部間への防振部材の挿入圧とを利用した防振部材による径方向の逃げの少ない弾性支持作用と、締結構造及びその締結される締結座同士の対向部間と締結穴を持った締結座と座金間での締結圧を利用した防振部材による軸方向の逃げの少ない弾性支持作用と、によって、空気調和機と送風手段とがどの方向にも防振部材によって互いの振動の伝達が断たれて効果的な相互間の防振と送風手段に対する吸振が図れる。
【００１０】
防振部材が、前記締結穴と凸軸との嵌まり合い部間に位置する筒部と、この筒部の両端部から外方に張り出し前記両締結座の対向部間と、前記締結穴を有した締結座及び座金間とに位置する２つのフランジ部と、を一体に有している、さらなる構成によれば、
１つの防振部材によって締結し合う締結座同士の嵌め合い構造における軸穴嵌め合い部間には筒部が、締結構造における締結座間及び締結座と座金間には前記筒部の両端部のフランジ部が位置して前記防振作用を営ませることができ、締結座の締結穴の一方から防振部材の一方のフランジ部を他方へ潜らせて装着し締結に供するだけで防振作用、吸振作用が得られる。
【００１１】
２つのフランジ部は、その一方が全周に、他方は周方向複数箇所で放射状に張り出している、さらなる構成によれば、
放射状に張り出す複数のフランジ部の側で締結穴に潜らせやすくなる。
【００１２】
空気調和機が、前記圧縮機を器体の底部壁に相互間の防振構造部を有して分離できるように固定している、さらなる構成では、
圧縮機は重量のある振動源となるが、空気調和機の器体の洗濯乾燥機本体に安定に設置される底部との間で、この底部への固定部に有した相互間の防振構造部による防振作用と圧縮機に対する吸振作用を得て、圧縮機の振動を抑制し、また圧縮機の振動が器体の他の部分及び洗濯乾燥機本体の側に伝達するのを防止される。
【００１３】
空気調和機及び送風手段は、相互の一体化によって空調・送風ユニットをなし、軸線が後部から前部へ高くなるように傾斜した水槽の背部下に設置されている、さらなる構成によれば、
軸線が後部から前部へ高くなるように傾斜した水槽はその背部と洗濯乾燥機の底部及び背部の壁との間にほぼ三角形となるスペースを形成していて、空気調和機及び送風手段を嵩低く一体とした空調・送風ユニットとして、その設置高さが水槽の最低位高さを上まわっても互いの干渉なく単独に設置でき、循環送風経路の循環空気導入側及び送風側の管路との接続を図るだけで機能させられる。
【００１４】
送風手段の背部側の上向きの排気口から上方に延びる送風管路を水槽背面に突出している回転ドラムのモータまわりを経由してモータの上側で水槽背面に接続されている、さらなる構成によれば、
空調・送風ユニットは、凝縮器及び蒸発器を前後に近接配置して循環空気通路長さを短くするなどにより左右に並置するなどする圧縮機よりも奥行き寸法がやや大きめになっても、送風手段の背部側に位置させた上向きの排気口から延び水槽の背面上部に至る送風管路を洗濯乾燥機本体の背部に沿った平面にて立ち上がり水槽背面に突出するモータのまわりを経由して占有スペースを必要とすることなく嵩低く短く配管できる。
【００１５】
空気調和機は送風手段と反対側の端部の背部側に上向きの循環空気導入口を有し、この循環空気導入口から上方へ延びる循環空気導入管路を、洗濯乾燥機本体の上面から着脱されるフィルタを受け入れて糸くずなどの異物を回収するフィルタ室の背部の下向きの循環空気排出口に接続している、さらなる構成では、
空気調和機が圧縮機よりも奥行き寸法がやや大きめになっても、空気調和機の背部側に位置させた上向きの循環空気導入口から循環空気導入管を立ち上がらせて、糸くずなどの異物を捕集するフィルタ室の背部にある下向きの循環空気排出口に接続することができ、フィルタ室が洗濯乾燥機の天部からフィルタが着脱される関係から軸線が後部から前部へ高くなるように傾斜した水槽の上部が洗濯乾燥機本体の天部と背部との間に形成するほぼ三角形となるスペースに配置し、その循環空気導入排出口も洗濯乾燥機本体の背部に位置させられ、空気調和機の循環空気導入口との間の循環空気導入管路も洗濯乾燥機本体の背部に沿った平面上に嵩低く短く配管できる。
【発明の効果】
【００１６】
本発明によれば、圧縮機、蒸発器、凝縮器を大量生産向きの機器となった空気調和機と送風手段との２つの機器の結合だけで、４つの必要機器を関係付けられ組み立ての構造及び作業が簡単になる。また、全体がコンパクトで洗濯乾燥機本体内の狭いスペースに設置しやすいし、冷媒回路長さ、循環空気の通路長さが共に短くなりその分だけ熱効率が向上する。また、空気調和機の設置だけで送風手段を安定に設置できるので設置の構造及び作業が簡単になる。また、空気調和機と送風手段との結合によっても相互間の防振構造により互いの振動が影響し合うことがなく、共振などしないし、他に及ぶ振動も低減でき、送風手段自体に対しての吸振も図れるので、静音性が確保できる。
【発明を実施するための最良の形態】
【００１７】
本発明の実施形態に係る図１に示すドラム式洗濯乾燥機１は、洗濯乾燥機本体４４内に図示しないサスペンション構造によって水槽３が宙吊り状態に配設され、水槽３内に有底円筒形に形成された回転ドラム２がその軸心方向を正面側から背面側に向けて下向きに傾斜させて配設されている。水槽３の正面側には回転ドラム２の開口端に通じる衣類出入口１１が形成され、洗濯乾燥機本体４４の正面側に形成された上向き傾斜面に設けられた開口部を開閉可能に閉じる扉９を開くことにより、前記衣類出入口１１を通じて回転ドラム２内に対して洗濯物を出し入れすることができる。扉９が上向き傾斜面に設けられているため、洗濯物を出し入れする作業を腰を屈めることなく実施でき、一般には横向きにある開口部から洗濯物を出し入れするドラム式洗濯乾燥機の作業性の悪さが改善されている。
【００１８】
回転ドラム２には、その周面に水槽３内に通じる多数の透孔８が形成され、内周面の複数位置に攪拌突起（図示せず）が設けられている。この回転ドラム２は水槽３の背面側に取り付けられたモータ７によって正転及び逆転方向に回転駆動される。また、水槽３には、注水管路１２及び排水管路１３が配管接続され、図示しない注水弁及び排水弁の制御によって水槽３内への注水及び排水がなされる。
【００１９】
扉９を開いて回転ドラム２内に洗濯物及び洗剤を投入してドラム式洗濯乾燥機１の運転を開始させると、水槽３内には注水管路１２から所定量の注水がなされ、モータ７により回転ドラム２が回転駆動されて洗濯工程が開始される。回転ドラム２の回転により、回転ドラム２内に収容された洗濯物は回転ドラム２の内周壁に設けられた攪拌突起によって回転方向に持ち上げられ、持ち上げられた適当な高さ位置から落下する攪拌動作が繰り返されるので、洗濯物には叩き洗いの作用が及んで洗濯がなされる。所要の洗濯時間の後、汚れた洗濯液は排水管路１３から排出され、回転ドラム２を高速回転させる脱水動作により洗濯物に含まれた洗濯液を脱水し、その後、水槽３内に注水管路１２から注水してすすぎ工程が実施される。このすすぎ工程においても回転ドラム２内に収容された洗濯物は回転ドラム２の回転により図示しない攪拌突起により持ち上げられて落下する攪拌動作が繰り返されてすすぎ洗いが実施される。
【００２０】
このドラム式洗濯乾燥機１には、回転ドラム２内に収容した洗濯物を乾燥する機能が設けられ、図１、図２に示すような水槽３内の空気を排気して除湿し、加熱した乾燥した空気を再び水槽３内に送風する既述した循環送風経路５が形成されている。この循環送風経路５の途中には図３に示すように蒸発器３１などの除湿手段、凝縮器３２などの加熱手段及び送風手段である送風ファン１５が設けられるのが既述したように一般的であり、この送風ファン１５を回転駆動することにより、循環送風経路５に空気の流れが発生して洗濯物を収容した回転ドラム２内の空気は透孔８を通じて水槽３から送風ファン１５側への循環空気導入管路１６に排気され、送風ファン１５の上流に位置する蒸発器３１に水分を結露させて除湿することと、６５℃程度に昇温する凝縮器３２との熱交換により加熱することとで常に乾燥した高温の空気とされる。この乾燥した高温の空気は送風ファン１５から水槽３への送風管路３３に送り出されて水槽３内に送風される。水槽３内に送風された高温の乾燥空気は透孔８を通じて回転ドラム２内に入って衣類などの洗濯物に曝されながら水槽３へと抜け、再度循環空気導入管路１６へと導入され、以上の循環送風経路５での空気の循環の繰り返しにより乾燥工程が実施される。
【００２１】
また、この循環送風経路５を利用した乾燥工程では、循環送風路５を循環される空気中に主として衣類などの洗濯物から発生する糸くずなどの異物が混じって循環し、蒸発器３１や凝縮器３２の目詰まり、送風ファン１５の回転部への噛み込み、送風ファン１５の内面への堆積といった乾燥工程を実施するのに支障を来しやすく、面倒なメンテナンスを頻繁に行なう必要があることから、循環送風経路５の途中に、具体的には蒸発器３１、凝縮器３２、送風ファン１５の上流側、従って、図１、図２に示すような循環空気導入管路１６の途中に、循環空気中の異物を除去するフィルタ３５を収容したフィルタ室３６を設けることが一般的になっている。これによって、洗濯物を乾燥させた後の空気に異物が混入して蒸発器３１側の循環空気導入管路１６側に導入されてきても、フィルタ室３６を通る際にフィルタ３５によって捕集され、下流側への循環空気に混入することはない。従って、蒸発器３１、凝縮器３２、送風ファン１５の機能が長期に保全される。しかし一方では、フィルタ室３６内のフィルタ３５には捕集された異物が堆積していき、循環空気の通過抵抗が徐々に増していき、乾燥機能を低下させる問題があるので、フィルタ３５は一般の場合と同様に着脱できるように設けられる。
【００２２】
本実施の形態では、特に、蒸発器３１、凝縮器３２とこれらに冷媒を循環させる冷媒回路で接続した圧縮機３７とを１つの器体３８に収容した図３、図４に示すような空気調和機３９として取り扱い、この空気調和機３９の導入空気を除湿及び加熱した後に排気する排気口４１側に送風ファン１５の吸気口４２側を図５に示すように相互間の防振構造部４３を有して結合し一体化している。これにより、圧縮機３７、蒸発器３１、凝縮器３２が器体３８への収納により一纏めになった大量生産向きの機器となった空気調和機３９と送風ファン１５との２つの単独機器の結合で４つの機器、つまり圧縮機３７、蒸発器３１、凝縮器３２、送風ファン１５のそれぞれを循環送風経路５の一部をなして所定の機能を達成するように関係付けられる。
【００２３】
この結果、４つの必要機器を関係付ける組み立ての構造及び作業が簡単になり、コスト低減の要素となる。また、全体が嵩ばらず冷媒回路長さ、循環空気の通路長さが共に短くなり、取り扱いやすく省スペース化に貢献できるし、除湿及び加熱系と、乾燥系との双方の熱効率が向上する。また、洗濯乾燥機本体４４に空気調和機３９を図１、図２に示すように設置すれば、それに一体化した送風ファン１５自体の洗濯乾燥機本体４４への直接な設置、支持を不要として安定に設置できるので、設置の構造及び作業が簡単になり、これもコスト低減の要素となる。また、空気調和機３９と送風ファン１５との一体化は圧縮機３７と送風ファン１５との２つの振動源を一纏めに持つことになるが、送風ファン１５と空気調和機３９とは相互間の防振構造部４３によって双方の振動が影響し合うのを防止され、共振などしないし、送風ファン１５自体に対しての吸振作用も発揮するので、循環送風経路５や洗濯乾燥機本体４４など他に及ぶ振動も低減でき、静音性が確保できる。
【００２４】
空気調和機３９と送風ファン１５との結合の具体的な構造は、図３〜図５に示すように空気調和機３９の排気口４１と送風ファン１５の吸気口４２との間に例えばシリコンよりなるパッキン４５ａを挟むなどしたシール構造部４５を有し、このシール構造部４５の外りの複数箇所間、具体的には図４に示す３箇所間を、既述した相互間の防振構造部４３を有して分離可能に締結し結合してある。これにより、空気調和機３９と送風ファン１５とは、それらの排気口４１と吸気口４２との間にシール構造部４５を有するだけで、その外まわりの複数箇所間の締結によりシール性を満足して接続されるし、その締結を利用して防振構造を有し相互間の防振作用が得られる。また、締結を解くだけで、空気調和機３９及び送風ファン１５をシール構造部４５及び防振構造部４３の分解を伴い分離でき、組み立て及び分解に便利なものとなり、メンテナンスに便利である。
【００２５】
空気調和機３９と送風ファン１５との締結につきさらに詳述すると、空気調和機３９と送風ファン１５との前記複数の締結箇所での、図４、図５に示すような互いに対向し合う締結座３９ａ、１５ａの一方具体的には空気調和機３９の側の締結座３９ａに前記対向し合う方向に設けた凸軸３９ｂと、他方、具体的には送風ファン１５の締結座１５ａに設けた締結穴１５ｂとの嵌め合せ構造と、締結穴１５ｂを有した締結座１５ａの反締結側に当てがう座金４６と前記凸軸３９ｂとの間で座金４６の側からねじ４８によりねじ締めして両締結座３９ａ、１５ａの対向部間を締結する締結構造とを有してなされている。また、このような締結構造に対応して防振構造部４３は、前記凸軸３９ｂと締結穴１５ｂとの嵌まり合い部間と、前記両締結座３９ａ、１５ａの対向部間と、前記締結穴１５ｂを有した締結座１５ａ及び座金４６間と、にブチレンゴムなどよりなる防振部材４７が介在するように構成している。
【００２６】
これにより、空気調和機３９と送風ファン１５との締結し合う締結座３９ａ、１５ａ同士の、凸軸３９ｂと締結穴１５ｂとの嵌め合わせ構造とその嵌め合い部間への防振部材４７の挿入圧とを利用した防振部材４７による径方向の逃げの少ない弾性支持作用と、締結構造及びその締結される締結座３９ａ、１５ａ同士の対向部間と締結穴１５ｂを持った締結座１５ａと座金４６間での締結圧を利用した防振部材４７による軸方向の逃げの少ない弾性支持作用と、によって、空気調和機３９と送風ファン１５とがどの方向にも防振部材４７によって互いの振動の伝達を断たれ、また送風ファン１５に対する吸振がなされるので、効果的な防振が図れる。
【００２７】
防振部材４７は図６に示すような形状をなし、図５に示すように締結穴１５ｂと凸軸３９ｂとの嵌まり合い部間に位置する筒部４７ａと、この筒部４７ａの両端部から外方に張り出し両締結座３９ａ、１５ａの対向部間と、締結穴１５ｂを有した締結座１５ａ及び座金４６間とに位置する２つのフランジ部４７ｂ、４７ｃと、を一体に有したゴム成形品としてある。従って、１つの防振部材４７によって締結し合う締結座３９ａ、１５ａ同士の嵌め合い構造における軸穴嵌め合い部間には筒部４７ａが、締結構造における締結座３９ａ、１５ａ間及び締結座１５ａと座金４６間には前記筒部４７ａの両端部のフランジ部４７ｂ、４７ｃが位置して前記防振作用を営ませることができ、締結座１５ａの締結穴１５ｂの一方から防振部材４７の一方のフランジ部４７ｃなどを他方へ潜らせて装着し締結に供するだけで前記のように効果的な相互間防振作用、および送風ファン１５に対する吸振作用が得られる。
【００２８】
２つのフランジ部４７ｂ、４７ｃの一方が全周に、他方は周方向複数箇所で放射状に張り出した図５に示すような形態としてあり、放射状に張り出す複数のフランジ部４７ｃの側で締結穴１５ｂに潜らせやすくなる。図４、図５に示す具体例では連続したフランジ部４７ｂが締結座３９ａ、１５ａの対向部間に位置して、周方向に分割したフランジ部４７ｃが位置する場合よりも、空気調和機３９および送風ファン１５間の直接の防振性が高まるようにしている。
【００２９】
さらに、空気調和機３９は、圧縮機３７を器体３８の底部壁３８ａに相互間の防振構造部５１を有して分離できるように固定している。このようにすると、圧縮機３７は重量のある振動源となるが、空気調和機の器体の洗濯乾燥機本体４４に安定に設置される底部壁３８ａとの間で、この底部壁３８ａへの固定部に有した相互間の防振構造部５１による防振作用を得て、圧縮機３７の振動が器体３８の他の部分及び洗濯乾燥機本体４４の側に伝達するのを防止されるし、圧縮機３７自体に対しても吸振作用が働く。また、このような構成にすることで、送風ファン１５の振動と圧縮機３７の振動とが共振してしまい大きな振動、騒音となってしまうといった問題を防止することができる。従って、静音性能がさらに向上する。この防振構造部５１も既述の空気調和機３９と送風ファン１５との締結部の防振構造部４３と同様な方式を採用するのが好適である。
【００３０】
また、上記のように空気調和機３９及び送風ファン１５は、相互の一体化によって嵩低い空調・送風ユニットをなして取り扱え、図１、図２に示すように既述の軸線が後部から前部へ高くなるように傾斜した水槽３の背部下に設置していることにより、軸線が後部から前部へ高くなるように傾斜した水槽３の背面３ａと洗濯乾燥機本体４４の底部４４ａ及び背部４４ｂの壁との間にほぼ三角形となるスペースＳ１を利用して、空気調和機３９及び送風ファン１５を、その設置高さが水槽の最低位高さを上まわっても互いの干渉なく単独に簡単に設置でき、循環送風経路５の循環空気導入管路１６側及び送風管路３３側との接続を図るだけで機能する組み付けの構造及び作業が簡略化する。
【００３１】
また、送風ファン１５はその背部側に上向きの排気口１５ｃを持ち、この排気口１５ｃから上方に延びる送風管路３３を水槽３の背面３ａに突出している回転ドラム２を駆動するモータ７まわりを経由してモータ７の上側で水槽３の背面３ａに接続されているので、空調・送風ユニット３９が図３に示すように蒸発器３１及び凝縮器３２を前後に近接配置して循環空気通路長さを短くするような形式から、これと左右に並置した圧縮機３７よりも奥行き寸法がやや大きめになっても、送風ファン１５の背部側に位置させた上向きの排気口１５ｃから延び水槽３の背面上部に至る送風管路３３を洗濯乾燥機本体４４の背部４４ｂに沿った平面にて立ち上がり水槽３の背面３ａに突出するモータ７のまわりを経由して占有スペースを必要とすることなく嵩低く短く配管できる。
【００３２】
併せ、空気調和機３９は送風ファン１５と反対側の端部の背部側に上向きの循環空気導入口３９ｃを有し、この循環空気導入口３９ｃから上方へ延びる循環空気導入管路１６を、既述したフィルタ室３６を図１に示すように洗濯乾燥機本体４４の天部４４ｃの着脱口４４ｄからフィルタ３５が着脱されるように配して、背部の下向きの循環空気排出口３６ａに接続するようにしているので、空気調和機３９が既述のように圧縮機３７よりも奥行き寸法がやや大きめになっても、空気調和機３９の背部側に位置させた上向きの循環空気導入口３９ｃから循環空気導入管１６を立ち上がらせて、フィルタ室３６の背部にある下向きの循環空気排出口３６ａに接続することができ、フィルタ室３６が洗濯乾燥機本体４４の天部４４ｃからフィルタ３５が着脱される関係から軸線が後部から前部へ高くなるように傾斜した水槽３の上部が洗濯乾燥機本体４４の天部４４ｃと背部４４ｂの壁との間に形成するほぼ三角形となるスペースＳ２に配置し、その循環空気導入口３９ｃも洗濯乾燥機本体４４の背部４４ｂに位置させられ、空気調和機３９の循環空気導入口３９ｃとの間の循環空気導入管路１６も洗濯乾燥機本体４４の背部４４ｂに沿った平面上に嵩低く短く配管できる。
【００３３】
これらにより、水槽３からフィルタ室３６までの循環空気導入管路１６が図１に示すように水槽３の開口部まわりにできるデッドスペースを利用して配管できることと相俟って、洗濯乾燥機本体４４内の省スペース化が図れ、ドラム式洗濯乾燥機１の小型化が達成される。また、循環送風経路５の全体が短くなることから洗濯物乾燥の熱効率がさらに高まる。
【産業上の利用可能性】
【００３４】
本発明は、ドラム式洗濯乾燥機における洗濯物乾燥のための循環送風系に実用される空気調和機と送風手段との防振を図って一体化する技術であって、その小型化、冷媒回路及び循環空気通路の短縮による熱効率の向上などに貢献する。
【図面の簡単な説明】
【００３５】
【図１】本発明の実施の形態に係るドラム式洗濯乾燥機の要部構成を示す断面図。
【図２】空気調和機及び送風ファンが一体化した空調・送風ユニットを含む循環送風経路と水槽の背部との位置関係を示す同上ドラム式洗濯乾燥機の内部背面図。
【図３】図２の空調・送風ユニットの空気調和機内部を見た平面図。
【図４】図３の空調・送風ユニットの送風ファン側から見た斜視図。
【図５】図３の空調・送風ユニットの空気調和機と送風ファンとの結合状態を示す縦断面図。
【図６】図５の締結構造に適用された防振部材を示す斜視図。
【符号の説明】
【００３６】
１ドラム式洗濯乾燥機
２回転ドラム
３水槽
５循環送風経路
７モータ
８透孔
１５送風ファン（送風手段）
１５ａ締結座
１５ｂ締結穴
１６循環空気導入管路
３１蒸発器
３２凝縮器
３３送風管路
３５フィルタ
３６フィルタ室
３７圧縮機
３８器体
３９空気調和機
３９ａ締結座
３９ｂ凸軸
４１排気口
４２吸気口
４３、５１防振構造部
４４洗濯乾燥機本体
４５シール構造部
４６座金
４７防振部材
４７ａ筒部
４７ｂ、４７ｃフランジ部
４７ねじ
【図１】
2008079859.tif 000003
【図２】
2008079859.tif 000004
【図３】
2008079859.tif 000005
【図４】
2008079859.tif 000006
【図５】
2008079859.tif 000007
【図６】
2008079859.tif 000008